(57)【特許請求の範囲】
【請求項１】
先頭ドア、親ドア、及び子ドアの３枚ドアから成って、各ドア間には継手を設けて折畳み出来るように連結し、先頭ドアの上端及び子ドアの後方側上端に取着した吊車によって上レールに吊設した折れ戸装置において、子ドアの後方側上端に取着した上記吊車にはラックを設け、このラックに噛み合うピニオンを上レール側に軸支すると共に、ピニオンから脚を垂下すると共に脚下端からアームを延ばし、アーム先端の軸ピンを子ドアの上端に取着した連結具の長溝に遊嵌し、そして上記ピニオンの大きさを概略１／４円としたことを特徴とする折れ戸装置。
【発明の詳細な説明】
【０００１】
【発明の属する技術分野】
本発明は引戸を操作するように折れ戸がスムーズに折畳まれ、そして折畳まれた際にドアの先端部が通路側へはみ出さないようにした折れ戸装置に関するものである。
【０００２】
【従来の技術】
図６は従来の一般的な折れ戸の開閉動作を示し、該折れ戸は親ドア(イ)と子ドア(ロ)から成って互いに折畳み出来るように間には蝶番などの継手が設けられている。そして子ドア(ロ)は吊元側に設けている軸(ハ)に回転自在に取付けられ、親ドア(イ)の上端に設けているスライダーが上レールに沿って移動することが出来、その為に同図に示すような軌跡を伴って開閉することが出来る。
【０００３】
出入り口に装着されて開閉する折れ戸は開き戸に比較して開閉操作が容易である。特に出入り口の幅が大きな場合、開き戸を装着するならば開き戸の先端持ち手を握って開閉する場合、吊元の軸を中心とする回転半径が大きくなって操作がし難い。これに対して折れ戸であれば、図６に示すように上レールに沿っての移動である為に比較的操作が簡単となる。
【０００４】
又、開き戸は吊元の継手を中心として回転する為に、開いた場合には出入り口から大きくはみ出してしまい、これが邪魔になる。一方、出入り口を開閉する装置として引き戸が多用されているが、これは出入り口を開くことで引き戸が収まる戸袋等の引き込みスペースを必要とし、空間的に余裕のない所では引き戸を装着するには問題がある。
【０００５】
ところで、図６に示すように親ドア(イ)と子ドア(ロ)から成る折れ戸では、その開閉操作は比較的容易であるが、折畳んだ場合には親ドア(イ)の先端部は通路側へはみ出してしまい、開き戸ほどではないがこのはみ出し部分が邪魔になる。これは親ドア(イ)の上端にはスライダーが取付けられ、このスライダーは上レールに沿って移動し、折畳まれた状態では親ドア(イ)が上レールに対してほぼ垂直方向を向く為に、該スライダーの位置より先端部が通路側へ突出することになる。
【０００６】
そこで、スライダーを親ドア(イ)の先端に取着するならば、折畳む際に持ち手(ニ)を手前に引いても開くことは出来ない。この場合には親ドア(イ)と子ドア(ロ)の継手部を奥へ押してある程度折畳んだところで親ドア(イ)の先端を上レールに沿って子ドア側へスライドさせることが必要となり、開閉操作が非常に面倒になってしまう。すなわち親ドア(イ)の持ち手(ニ)を引いて折畳むには先端部がスライダーから突出していることが必要である。
【０００７】
ところで、折れ戸は親ドア(イ)の先端を手前に引いて開くことになるが、車椅子に乗っている身体障害者にとっては比較的操作しにくい。すなわち、親ドア(イ)の先端を手前に引くことで、折れ戸は前記図６に示すような軌跡を伴って開くために乗っている車椅子に当るようになる。従って、親ドア(イ)に対して車椅子を斜めに近づけて操作しなくてはならない。
【０００８】
一方、従来の折れ戸は軸(ハ)にて子ドア(ロ)が軸支されると共に、該子ドア(ロ)に親ドア(イ)が蝶番等の継手を介して折畳み出来るように連結支持されているに過ぎない。従って子ドア(ロ)と親ドア(イ)の荷重は全て軸(ハ)に作用する為に、特に親ドア(イ)が大きくて重い場合には折れ戸が撓んで開閉操作がスムーズに行なわれないことになる。
【０００９】
【発明が解決しようとする課題】
このように、従来の折れ戸には上記のごとき問題がある。本発明が解決しようとする課題はこの問題点であり、車椅子に乗った身体障害者であっても開閉操作を容易に行なうことが出来、折畳んだ際に親ドア先端部が通路側へ突出することなく、しかも折れ戸がその自重にて撓まないようにした折れ戸装置を提供する。
【００１０】
【課題を解決する為の手段】
本発明の折れ戸装置は、親ドアと子ドア及び先頭パネルの３枚で構成している。そして、親ドアと子ドア及び親ドアと先頭ドアは蝶番等の継手を介して折畳み出来るように連結され、子ドアの吊元側は上レールを移動する吊車にて吊設され、又先頭ドアの上端にも吊車が取付けられている。
【００１１】
そこで、本発明の折れ戸装置では子ドアの吊元側に設けた吊車と先頭ドア上端に設けている２個の吊車によって上レールに吊設され、折れ戸を開く場合には各ドア間の継手が屈曲して親ドアと子ドアが一方側へ張出す。ただし、この場合に先頭ドアは上レールから張出すことなく、又向きを変えることなく上レールに沿って吊元方向へ移動するだけとなる。すなわち、本発明の折れ戸装置では先頭ドアを上レール方向へ押したり引いたりすることで開閉可能としている。従来のように、手前方向に引く必要はない。
【００１２】
ところで、本発明では先頭ドアを上レール方向へ押すことで親ドア及び子ドアが張出すように作用する張出し装置を備えている。この張出し装置とはラック−ピニオン機構を利用して構成したものであって、子ドアの吊車にはラックが取着され、一方のピニオンは上レール側に取付けられている。折れ戸が伸長して閉じた状態では、子ドアの後方端には隙間が形成され、先頭ドアを押すならば伸長した状態にある折れ戸は隙間を残す吊元側へ移動し、その為に吊車に取着しているラックと噛み合っているピニオンは回転することが出来る。
【００１３】
ピニオンにはアームが取着されて該アームの先端は子ドアと連結している為に、ピニオンが回転することでアームを旋回させて子ドアを上レールから張出すことが出来る。以下、本発明に係る実施例を図面に基づいて詳細に説明する。
【００１４】
【実施例】
図１は本発明の折れ戸装置を示す表面図であり、図２はその横断面を示している。同図の１は先頭ドア、２は親ドア、３は子ドアを表わし、上記先頭ドア１の上端には吊車４が、子ドア３の後方側上端には吊車５が取着され、この両吊車４，５によって上レール６に吊設されている。そして先頭ドア１と親ドア２、及び親ドア２と子ドア３は継手７，７によって連結されていて、親ドア２と子ドア３は折畳まれる。
【００１５】
この場合、先頭ドア１は上レール６に沿って移動するだけで折畳まれないように、上端の吊車４は上レール６にガイドされると共に、吊車４に対して先頭ドア１の向きが変化しないように吊設されている。図２に示すように、(ａ)は折れ戸が伸長して間口を閉じている場合、(ｂ)は折れ戸が折畳まれて間口を開いた場合であり、親ドア２と子ドア３は共に折畳まれる。
【００１６】
折れ戸が間口を閉じた場合、その先頭ドア１の先端は戸先側縦桟８に当っているが、子ドア３の後方端は戸尻側縦桟９との間に距離Ｌの隙間１０が形成されている。勿論、この隙間１０は何らかの部材でカバーされて見えないように成っているが、子ドア３の後方に取着している吊車５は距離Ｌの範囲において上レール６を移動することが出来る。すなわち、子ドア３は定位置に軸支されていない。
【００１７】
折れ戸の先頭ドア１には持ち手１１が取付けられて、この持ち手１１を握って上レール６に沿って押すことで、(ｂ)に示すように折畳まれるが、上レール６に沿って作用する押圧力だけでは親ドア２及び子ドア３が上レール６から張出すことが出来ない為に、本発明では張出し装置を備えている。図２の１２はピニオンを示し、このピニオン１２は上レール側に軸支されていて、そして該ピニオン１２からアーム１３が延びている。アーム先端は子ドア３に取着した連結具１４と連結している。
【００１８】
又、ピニオン１２は吊車５に取付けているラック１５と噛み合っていて、吊車５が移動するならばラック１５も移動し、その結果ピニオン１２は回転する。そしてアーム１３が旋回して子ドア３を上レール６から張出すことで折畳み出来るように作動する。図３、図４は上記張出し装置を示した実施例であり、ピニオン１２は吊車５に取着されたラック１５と噛み合っている。図３ではピニオン１２から延びるアーム１３が子ドア３と平行を成していて、折れ戸が閉じている状態であるが、ピニオン１２が回転するならばアーム１３は旋回する為に、子ドア３を上レール６から押出すことが出来る。
【００１９】
子ドア３の上端には連結具１４が取着され、この連結具１４には長溝１６が形成されていて、アーム先端に設けている軸ピン１７は該長溝１６に遊嵌していて、アーム旋回に伴って長溝１６に沿ってスライド出来る。図４に示しているように、ラック１５は吊車上部に取着され、上レール側に取付けられているピニオン１２から脚１８が下方へ延び、この脚１８の下端からアーム１３が水平に延びている。
【００２０】
図５はアーム１３が旋回して子ドア３を上レール６から張出した場合である。
以上述べたように、本発明の折れ戸装置では、先頭ドアと親ドア及び子ドアの３枚ドアで折れ戸を構成し、子ドアの後方側にはラック−ピニオン機構から成る張出し装置を設けたもので、次のような効果を得ることが出来る。
【００２１】
【発明の効果】
本発明の折れ戸装置では、先頭ドア、親ドア、及び子ドアの３枚ドアで折れ戸を構成し、先頭ドアを上レールに沿って押したり引いたりすることで折れ戸は開閉することが出来る。すなわち、子ドアには張出し装置が取付けられていて、先頭ドアを押すことで子ドアは後退するが、この場合、吊車に取着しているラックによってピニオンが回転し、ピニオンから延びるアームの旋回によって子ドアは上レールから張出され、親ドアと共に折畳まれる。従って、折れ戸を開閉する場合、引戸と同じような操作で開閉することが出来る為に、車椅子に乗っている身体障害者であっても、容易に開閉操作が可能であり、車椅子が折れ戸に当ることもない。
【図面の簡単な説明】
【図１】本発明の折れ戸装置を示す正面図。
【図２】本発明の折れ戸折畳の横断面図。
【図３】張出し装置の平面図。
【図４】張出し装置の縦断面図。
【図５】子ドアが張出し装置によって張出された場合。
【図６】従来の折れ戸の開閉軌跡。
【符号の説明】
１  先頭ドア
２  親ドア
３  子ドア
４  吊車
５  吊車
６  上レール
７  継手
８  戸先側縦桟
９  戸尻側縦桟
10  隙間
11  持ち手
12  ピニオン
13  アーム
14  連結具
15  ラック
16  長溝
17  軸ピン
18  脚
【図１】
0003979069.tif 000002
【図２】
0003979069.tif 000003
【図３】
0003979069.tif 000004
【図４】
0003979069.tif 000005
【図５】
0003979069.tif 000006
【図６】
0003979069.tif 000007